(57)【要約】【課題】調理器本体と操作部とを分離可能に構成してトッププレート上での調理スペースを確保しながら使い勝手を向上させ得るようにする。【解決手段】調理容器を誘導加熱する複数の加熱コイル１４ａ〜１４ｃが配設された本体１と、本体１の上面に加熱コイル１４ａ〜１４ｃと対向するよう配置されたトッププレート２と、本体１内に設けられ加熱コイル１４ａ〜１４ｃの加熱出力を制御する制御部１２と、トッププレート２の上面に載置可能な操作体３とを備え、トッププレート２上面には、複数の加熱コイル１４ａ〜１４ｃのそれぞれに対応して操作体３の載置領域が予め設定され、操作体３がトッププレート２上面の載置領域に載置され、該操作体３が載置領域に載置されたときの位置で回動操作されると、当該載置領域に対応する加熱コイルの加熱出力が操作体３の回動操作量に応じて制御部１２により制御される。【選択図】図１
2010067617.tif 000002
【特許請求の範囲】
【請求項１】
調理容器を誘導加熱する複数の加熱コイルが配設された本体と、
前記本体の上面に前記加熱コイルと対向するよう配置されたトッププレートと、
前記本体内に設けられ前記加熱コイルの加熱出力を制御する制御部と、
前記トッププレートの上面に載置可能な操作体と、
を備え、
前記トッププレート上面には、複数の加熱コイルのそれぞれに対応して前記操作体の載置領域が予め設定され、
前記操作体がトッププレート上面の載置領域に載置され、該操作体が載置領域に載置されたときの位置で回動操作されると、当該載置領域に対応する前記加熱コイルの加熱出力が前記操作体の回動操作量に応じて前記制御部により制御されることを特徴とする誘導加熱調理器。
【請求項２】
前記操作体がトッププレート上面の載置領域から外れたとき、該載置領域に対応する加熱コイルのみが加熱停止となることを特徴とする請求項１記載の誘導加熱調理器。
【請求項３】
前記複数の加熱コイルは、本体幅方向に並列して配置された第１及び第２の加熱コイルを含み、
前記複数の載置領域は、前記第１及び前記第２の加熱コイルのそれぞれに対応する第１及び第２の載置領域を含み、
前記第１の載置領域の少なくとも一部は、前記第１の加熱コイルの中心より本体幅方向外側でかつ手前側に配置され、
前記第２の載置領域の少なくとも一部は、前記第２の加熱コイルの中心より本体幅方向外側でかつ手前側に配置されたことを特徴とする請求項１または２記載の誘導加熱調理器。
【請求項４】
前記操作体が前記複数の載置領域の何れに載置されても、前記本体の主電源スイッチは操作可能であることを特徴とする請求項１〜３の何れかに記載の誘導加熱調理器。
【請求項５】
前記操作体の載置領域における回動操作により、加熱コイルの調理時間を設定するためのタイマ機能が前記制御部により制御されることを特徴とする請求項１〜４の何れかに記載の誘導加熱調理器。
【請求項６】
前記操作体の載置領域における回動操作により、揚げ物機能が前記制御部により制御されることを特徴とする請求項１〜５の何れかに記載の誘導加熱調理器。
【請求項７】
前記操作体の載置領域における回動操作により、炊飯機能が前記制御部により制御されることを特徴とする請求項１〜６の何れかに記載の誘導加熱調理器。
【発明の詳細な説明】
【技術分野】
【０００１】
本発明は、調理容器を電磁誘導により加熱する誘導加熱調理器に関する。
【背景技術】
【０００２】
従来の誘導加熱調理器は、調理器本体のトッププレートの上面前部に操作部が設けられ、この操作部に運転の入り切りおよび加熱出力を調節する多数のスイッチ類や、運転状態や加熱出力を表示する表示部が配列されている（例えば、特許文献１参照）。
【先行技術文献】
【特許文献】
【０００３】
【特許文献１】特開２００６−２２８５８５号公報（図１、図２）
【発明の概要】
【発明が解決しようとする課題】
【０００４】
しかしながら、このように操作部がトッププレートの上面前部に配置されている誘導加熱調理器においては、調理容器をトッププレートに載せた際に、調理容器により操作部が隠れてしまい、スイッチの操作がしづらくなったり、表示部が目視できなくなるという問題があった。
【０００５】
このような問題は、例えば調理器本体と操作部とを分離可能に構成してトッププレート上での調理スペースを十分に確保できるようにすることで解消し得る。しかし、このように調理器本体と操作部とを分離可能に構成した場合、遠隔での操作が基本となる。実際の調理においては、確実かつ安全な調理を行うために、加熱状況を確認しながらその場で火力調整を行なう調理方法が一般的である。前述のように調理器本体と操作部とが離れていると、加熱状況を確認しながらその場で火力調整を行なうことはできず、感覚的にズレが生じ、調理がしづらくなる。
【０００６】
本発明の技術的課題は、調理器本体と操作部とを分離可能に構成してトッププレート上での調理スペースを確保しながら使い勝手を向上させ得るようにすることにある。
【課題を解決するための手段】
【０００７】
本発明に係る誘導加熱調理器は、調理容器を誘導加熱する複数の加熱コイルが配設された本体と、前記本体の上面に前記加熱コイルと対向するよう配置されたトッププレートと、前記本体内に設けられ前記加熱コイルの加熱出力を制御する制御部と、前記トッププレートの上面に載置可能な操作体と、を備え、前記トッププレート上面には、複数の加熱コイルのそれぞれに対応して前記操作体の載置領域が予め設定され、前記操作体がトッププレート上面の載置領域に載置され、該操作体が載置領域に載置されたときの位置で回動操作されると、当該載置領域に対応する前記加熱コイルの加熱出力が前記操作体の回動操作量に応じて前記制御部により制御されるものである。
【発明の効果】
【０００８】
本発明に係る誘導加熱調理器においては、調理器本体から分離してコンパクト化した操作体を設け、配置をトッププレート上の固定とせず、トッププレートと操作体とが接触している場合のみ通信可能となるようにしているので、トッププレート上での調理スペースを十分に確保できる。
【図面の簡単な説明】
【０００９】
【図１】本発明の実施の形態１に係る誘導加熱調理器の外観を示す斜視図である。
【図２】本発明の実施の形態１に係る誘導加熱調理器の内部構成を示すブロック図である。
【図３】本発明の実施の形態１に係る誘導加熱調理器の操作体の外観を示すトッププレート載置状態の斜視図と上面図である。
【図４】本発明の実施の形態１に係る誘導加熱調理器の操作体における送受信部を下方より示す斜視図である。
【図５】本発明の実施の形態１に係る誘導加熱調理器の操作体による操作可能領域を示す平面図である。
【図６】本発明の実施の形態１に係る誘導加熱調理器の操作可能領域内に操作体を置いた状態を示す平面図である。
【図７】本発明の実施の形態１に係る誘導加熱調理器の操作体による複数加熱コイルの同時操作パターン例を示す説明図である。
【図８】本発明の実施の形態２に係る誘導加熱調理器の操作可能領域内に操作体を置いた状態を示す平面図である。
【図９】本発明の実施の形態３に係る誘導加熱調理器の操作体の内部構成図である。
【図１０】本発明の実施の形態４に係る誘導加熱調理器の操作体の外観を下方より示す斜視図である。
【図１１】本発明の実施の形態５に係る誘導加熱調理器の外観を示す斜視図である。
【図１２】本発明の実施の形態５に係る誘導加熱調理器の操作体における送受信部を下方より示す斜視図である。
【発明を実施するための形態】
【００１０】
実施の形態１．
以下、図示実施形態により本発明を説明する。
図１は本発明の実施の形態１に係る誘導加熱調理器の外観を示す斜視図、図２はその内部構成を示すブロック図、図３はその操作体の外観を示すトッププレート載置状態の斜視図と上面図、図４はその操作体における送受信部を下方より示す斜視図、図５はその操作体による操作可能領域を示す平面図、図６はその操作可能領域内に操作体を置いた状態を示す平面図、図７はその操作体による複数加熱コイルの同時操作パターン例を示す説明図である。
【００１１】
本実施形態の誘導加熱調理器は、図１のように箱状の本体１と、この本体１の上面に配設された図示しない調理容器を載置するための耐熱ガラスからなるトッププレート２と、トッププレート２の下部に配設された誘導加熱コイルを含む複数個の加熱用コイル１４ａ〜１４ｃと、本体１とは分離して設けられトッププレート２の上面に移動可能に戴置された円筒形の操作体３と、を有している。
【００１２】
これを更に詳述すると、本体１は、図１及び図２のようにこの本体各部に電源を供給する電源部１１と、調理器全体を制御する制御部１２と、制御部１２の制御に応じて発生する高周波電流を第１乃至第３の加熱用コイル１４ａ〜１４ｃに加える高周波電源発生部１３ａ〜１３ｃと、操作体３との間で制御信号と位置情報の送受信を行なうインターフェースすなわち送受信部１５とを備えている。なお、第１乃至第３の加熱用コイル１４ａ〜１４ｃは、本体１内の左右および後部中央にそれぞれ設置され、トッププレート２上に載置された調理容器（図示せず）を誘導加熱する機能を有する。
【００１３】
トッププレート２の上面には、操作体３の位置を検知し、本体１との間で制御信号を送受信するための手段として、第１乃至第３の加熱コイル１４ａ〜１４ｃにそれぞれ対応して所定の領域でパターン化された金属コーティングすなわち導電部２１が設けられている。例えば、図５のようにトッププレート２の前部側上面に所定幅で帯状の領域内でパターン化された導電部２１を設けるとともに、このパターン化された導電部２１は、中央で左右に二分し、その左側を第１の加熱コイル１４ａ用にパターン化された第１の導電部２１ａ、右側を第２の加熱コイル１４ｂ用にパターン化された第２の導電部２１ｂとし、さらにその境界部分に跨るように第３の加熱コイル１４ｃ用に所定幅でパターン化された第３の導電部２１ｃを設けて構成される。そして、これら第１乃至第３の導電部２１ａ〜２１ｃは、制御部１２と接続され、それぞれ第１乃至第３の加熱コイル１４ａ〜１４ｃに対応する送受信部１５として機能し、操作体３が置かれた位置によって設定可能な加熱コイルが決定されるようになっている。
【００１４】
一方、操作体３は、図２乃至図４のように入出力部３２と、例えば画面上にタッチ式操作パネルを有する表示出力部３３及び入力部３４と現時点での火力を表示する火力表示部６とを備えた表示部４と、ダイヤル式の火力調節部３６を備えた操作部５と、第１乃至第３の導電部２１ａ〜２１ｃと同時に接触可能な複数個の接触片４０を底面に有し、本体１との間で制御信号と位置情報の送受信を行なうインターフェースすなわち送受信部３５を備えた制御部３１と、から構成されている。なお、ここでは火力調節部３６として、ダイヤル式のものを例に挙げて説明しているが、これをスイッチによって火力の増加・減少量を指定する方式にしてもよい。さらに、操作体３の形状も円筒形に限定されるものでなく、底面がトッププレート２と電気的に接続可能で、表示部４が使用者にとって見易く、操作し易い構成であれば、直方体でも多角柱でも構わないものである。
【００１５】
以上のように構成された本実施形態の誘導加熱調理器において、本体１の主電源を入力した後、操作体３の送受信部３５がトッププレート２上の送受信部１５の所定領域と接触すると、信号の送受信が行われ、導電部２１上の操作体３の位置情報が送受信部１５，３５より本体１と操作体３に入力される。これにより、制御部１２，３１は操作体３の導電部２１上での位置を判別する。そして、操作体３では、設定可能な加熱コイルの情報を表示出力部３３に出力し、表示部４の画面上に表示させる。その後、操作体３の火力調節部３６を回動操作することで、導電部２１上の操作体３が置かれた位置に応じた加熱コイルの操作が可能となる。例として、導電部２１からリード線を伸ばし、制御部１２と接続して通信を行ったり、トッププレート２の上下面に電極を設け、交流信号を送ることで通信を行ったりする方法等が考えられる。
【００１６】
例えば、図６のようにトッププレート２上の決められた通信可能領域内（導電部上）において、操作体３がトッププレート２と接触した領域が第２の導電部２１ｂである場合は、第２の加熱コイル１４ｂの操作が可能となる。また、図７のように操作体３がトッププレート２と接触した領域が、第１及び第３の導電部２１ａ，２１ｃの境界線上でこれらに跨っている場合は、第１及び第３の加熱コイル１４ａ，１４ｃの同時操作が可能となり、第２及び第３の導電部２１ｂ，２１ｃの境界線上でこれらに跨っている場合は、第２及び第３の加熱コイル１４ｂ，１４ｃの同時操作が可能となり、第１乃至第３の導電部２１ａ，２１ｂ，２１ｃの境界線上でこれらに跨っている場合は、第１乃至第３の加熱コイル１４ａ，１４ｂ，１４ｃの同時操作が可能となる。
【００１７】
また、操作体３は、トッププレート２上の加熱コイルの通信可能領域内において接触していない領域に対応する加熱コイルの操作は不可能となるが、本体１の主電源スイッチのみはトッププレート２上の通信可能領域内のどこに操作体３を置いても操作可能となるように構成されている。
【００１８】
また、操作体３がトッププレート２上の通信可能領域と接触せず、本体側との送受信が一定時間行なわれない場合は、本体１の主電源が自動的にＯＦＦになるように構成されている。電源ＯＦＦするまでの一定時間については、使用者が設定可能とし、各使用者の環境に合った時間とすることができる。
【００１９】
操作体３の制御部３１は、加熱コイルの情報や、火力調節部３６により設定された火力の情報が入出力部３２を介して入力されると、設定火力から火力値を判別して加熱コイルの情報と共に調理器本体１に送信し、本体側の制御部１２により制御させる。また、逆に、調理器本体１から加熱コイルの情報と火力値のデータが送られてきたときは、例えば加熱コイルの情報を表示出力部３３に出力して表示部４の画面上に表示させるとともに、火力値に基づいて点灯するＬＥＤの個数を判別してその情報を入出力部３２に出力し、火力表示部６に表示させる（図３）。
【００２０】
また、制御部３１は、予め設定された調理に必要な各種機能（調理時間を設定するためのタイマ機能、湯沸かし機能、揚げ物機能、炊飯機能など）を有し、その各種機能を表示情報として選択可能に表示出力部３３を通じて表示部４の画面に表示し、何れか一つの機能が選択されたときは、入出力部３２を通じて入力される信号から選択された機能を判別し、かつその機能に基づく制御を制御部１２経由で本体１に行わせることができるようになっている。
【００２１】
このように本実施形態によれば、本体１から操作体３を分離可能に構成し、かつ操作体３には本調理器の各種機能を持たせ、コンパクト化し、かつ配置を固定せず、トッププレート２上の通信可能領域内に載置されたとき、制御信号の送受信が可能になるようにしたので、トッププレート２上での調理スペースを十分に確保しながら使い勝手を向上させることができる。
【００２２】
また、このようにトッププレート２と操作体３とが接触し電気的に接続している場合のみ操作が可能となるようにすることにより、操作部分を本体１とは分離しているものの、遠隔操作のような誤操作や使いづらさが解決され、使用者が調理状況を確認しながらその場で火力調整を行なうことができ、各自に適した理想的な配置で、安全な操作を行うことができる。
【００２３】
また、各加熱コイル１４ａ，１４ｂ，１４ｃ毎に通信可能となる領域をトッププレート２上の特定箇所、つまり各加熱コイル１４ａ，１４ｂ，１４ｃの近傍に制限し、これら通信可能領域内に操作体３が載置されたときに制御信号の送受信が可能になるようにすることで、操作体３がトッププレート２上に置かれた場所を特定する位置検知を行うとともに、操作体３と各加熱コイル１４ａ，１４ｂ，１４ｃとの位置関係を視覚的に対応させるようにしているので、使用者は操作しようとする加熱コイルの近くで操作体３を操作することになり、加熱状況を確認しながらその場で火力調整を行なうことができる。このため、感覚的にズレを生じることがなく、調理がし易く、調理時の安全性と効率を向上させることができる。
【００２４】
また、複数台の加熱コイル１４ａ，１４ｂ，１４ｃを同じ設定にしたい場合に、各々の加熱コイル１４ａ，１４ｂ，１４ｃに対して始めから設定を行なう必要がなく、短時間で複数台の加熱コイル１４ａ，１４ｂ，１４ｃを設定可能となる。同時設定可能な加熱コイルの設定パターンとしては、本実施形態のように３個の加熱コイル１４ａ，１４ｂ，１４ｃを備えた誘導加熱調理器においては図７のように操作体３を第１乃至第３の導電部２１ａ，２１ｂ，２１ｃの境界線上でこれらに跨った状態に置く。これにより、第１乃至第３の加熱コイル１４ａ，１４ｂ，１４ｃの同時操作が可能となる。
【００２５】
また、本体１の主電源スイッチのみはトッププレート２上の通信可能領域内のどこに操作体３を置いても操作可能となるように構成しているので、例えば全調理を同時に終了させたい場合、操作体３を各加熱コイル専用の通信可能領域に逐一移動させて操作する必要はなく、通信可能領域内のどこに操作体３があっても全調理を同時に終了させる操作が可能となり、簡単に全加熱コイルの調理を終了させることができる。
【００２６】
また、操作体３と本体１側との送受信が一定時間行なわれないと自動的に電源ＯＦＦとなるように構成しているので、例えば地震が原因となって操作体３がトッププレート２からはずれ落ちたときや、子供が操作体３を誤って触って落としたとき等の、緊急時での被害拡大を抑止することが可能となる。
【００２７】
実施の形態２．
図８は本発明の実施の形態２に係る誘導加熱調理器の操作可能領域内に操作体を置いた状態を示す平面図であり、図中、前述の実施形態１と同一部分には同一符号を付してある。なお、説明にあたっては前述の図２及び図３を参照するものとする。
【００２８】
本実施形態の誘導加熱調理器は、操作体側の制御部３１に記憶媒体を内蔵し、操作体３が設定した内容（加熱設定値等）を記憶し、蓄積できるようにするとともに、記憶した内容（加熱設定値等）を記憶媒体より読み込んで再設定可能となるように構成したものであり、それ以外の構成は前述の実施形態１と同様であり、実施形態１のもつ機能を全て備えているものである。
【００２９】
本実施形態の誘導加熱調理器において、トッププレート２上で、操作体３が例えば第１の加熱コイル１４ａ（以下、これを「コイルａ」という）の設定領域内に置かれてコイルａの加熱設定等を行うと、この時の設定値が記憶媒体に記憶される。その後、操作体３を例えば第２の加熱コイル１４ｂ（以下、これを「コイルｂ」という）の設定領域内に移動させたときに、例えば移動前に行なったコイルａの設定値を記憶媒体より読み込んで移動先のコイルｂへ設定することができる。
【００３０】
すなわち、記憶媒体には以前に使用を終了して電源をＯＦＦした時の設定値も記憶されており、再度、本体１の主電源をＯＮして調理を始める際には、記憶された前使用時の加熱コイルの設定値を読み込んで再設定することができる。
【００３１】
このように、本実施形態の誘導加熱調理器においては、操作体３が記憶媒体を備えることにより、例えばトッププレート２上のスペースを有効に使うために、調理容器をコイルａからコイルｂに移動させた場合に、移動前に行なったコイルａの設定値を記憶媒体より読み込んで移動先のコイルｂへ設定できるので、移動後に移動前と同じ設定を再度零条件から行なう必要がなくなり、調理効率の向上が可能となる。
【００３２】
また、使用者独自の設定条件を予め記憶させておくこともでき、これにより使用者各々の好みの設定が瞬時に設定可能となり、使用者の調理効率の向上が可能となる。
【００３３】
実施の形態３．
図９は本発明の実施の形態３に係る誘導加熱調理器の操作体の内部構成図であり、図中、前述の実施形態１と同一部分には同一符号を付してある。なお、ここでも説明にあたっては前述の図２及び図３を参照するものとする。
【００３４】
本実施形態の誘導加熱調理器は、操作体３に搭載された制御部３１などの操作回路３９の周り、すなわち操作体３の内周部分を、防磁金属体３７で覆うとともに、防磁金属体３７の周り、すなわち使用者が接触する操作体３の外周部分を、耐熱性樹脂３８で覆ったものであり、それ以外の構成は前述の実施形態１と同様であり、実施形態１のもつ機能を全て備えているものである。
【００３５】
本実施形態の誘導加熱調理器においては、制御部３１などの操作回路３９の周りを防磁金属体３７で覆っているので、操作体３がトッププレート２上に置かれた際に、内部の制御部３１などの操作回路３９の金属体が誘導加熱されるようなことはなく、また例え誘導加熱されるような事態が発生したとしても、その場合には防磁金属体３７が加熱されるだけであり、その結果、回路に障害を与えることなく操作できる。また、防磁金属体３７の周りを耐熱性樹脂３８で覆っているので、使用者が操作する際に接触する部分が高温となることなく使用できる。さらにまた、耐熱性樹脂３８で覆われる部分を操作体３の外周部分とすることで、操作体３が接触していることに起因するトッププレート２からの伝熱によっても、使用者が操作する際に接触する操作部が高温となることはなく使用でき、安全性の確保が容易となる。
【００３６】
実施の形態４．
図１０は本発明の実施の形態４に係る誘導加熱調理器の操作体の外観を下方より示す斜視図であり、図中、前述の実施形態１と同一部分には同一符号を付してある。なお、ここでも説明にあたっては前述の図２及び図３を参照するものとする。
【００３７】
本実施形態の誘導加熱調理器は、操作体３の底面に、トッププレート２の表面温度を測定する温度センサ３０を設けるとともに、操作体３の内部に温度センサ３０の測定結果を制御部３１を介して表示部４に表示させるプレート温度判定手段（図示せず）を設けたものであり、それ以外の構成は前述の実施形態１と同様であり、実施形態１のもつ機能を全て備えているものである。
【００３８】
本実施形態の誘導加熱調理器においては、操作体３をトッププレート２上に置いたとき、そのトッププレート２表面の温度を測定することができる。そして、この測定した温度を制御部３１を介して表示部４に直接表示して使用者に知らしめることができる。なお、プレート温度判定手段により、制御部３１での温度が安全な温度かどうかを基準値と比較させることにより判断させ、判定結果を表示出力部３３に出力させ、表示部４の画面上に表示させるようにしてもよい。
【００３９】
本実施形態によれば、トッププレート２の加熱コイルに対向する部分の局所温度だけでなく、特にトッププレート２の手前部分の表面温度も検出可能となり、使用者が誤って高温になった部分に接触してしまう危険を防ぐことができる。なお、トッププレート２上の最高温度である加熱コイルの温度については、操作体３がトッププレート２上で置かれた位置との距離関係により、予め制御部３１に組み込んだ計算式から算出した温度を最高温度として、表示部４に表示させて使用者に危険度を知らしめることもできる。
【００４０】
実施の形態５．
図１１は本発明の実施の形態５に係る誘導加熱調理器の外観を示す斜視図、図１２はその操作体における送受信部を下方より示す斜視図であり、図中、前述の実施形態１と同一部分には同一符号を付してある。なお、ここでも説明にあたっては前述の図２及び図３を参照するものとする。
【００４１】
本実施形態の誘導加熱調理器は、本体１に操作体３との間で制御信号と位置情報の送受信を行なうインターフェースすなわち送受信部１５が備えられており、本体内部には操作体３の位置を検知し制御信号を送受信するための手段として、第１乃至第３の加熱コイル１４ａ〜１４ｃにそれぞれ対応して所定の領域で本体非接触通信領域２２ａ〜２２ｃが設けられている。これら第１乃至第３の本体非接触通信領域２２ａ〜２２ｃは、制御部１２と接続され、それぞれ第１乃至第３の加熱コイル１４ａ〜１４ｃに対応する送受信部１５として機能し、操作体３が置かれた位置によって設定可能な加熱コイルが決定されるようになっている。ここで、本体１と操作体３との間で通信可能な条件としては、トッププレート２より上方とし、基本的には操作体３がトッププレート２上に置かれた場合にのみ有効となる。通信方式としては、例えば無線や赤外線等による通信方式が採用可能である。赤外線等による光通信方式の場合には、指向性を有する発光素子を使用する。また、無線通信方式の場合には、各本体非接触通信領域２２ａ〜２２ｃ毎に周波数を変える。例えば、各本体非接触通信領域２２ａ〜２２ｃが互いに周波数を変えて発信している状態で、操作体３が置かれ、操作体３からどの周波数の信号を受信しているかが知らせられることで、換言すれば操作体３がどの本体非接触通信領域の信号に反応しているかを検知することで、操作体３が置かれた位置を検知し、検知後は対応する周波数で通信を行う。または、本体非接触通信領域２２ａ〜２２ｃの互いの境界部に電波シールドを設ける。これにより、操作体３を置く位置によって操作したい加熱コイルを選択することができる。
【００４２】
一方、操作体３は、図２乃至図４のように入出力部３２と、例えば画面上にタッチ式操作パネルを有する表示出力部３３及び入力部３４と現時点での火力を表示する火力表示部６とを備えた表示部４と、ダイヤル式の火力調節部３６を備えた操作部５と、第１乃至第３の本体非接触通信領域２２ａ〜２２ｃと通信可能な操作体非接触通信部４１を有し、本体１との間で制御信号と位置情報の送受信を行なうインターフェースすなわち送受信部３５を備えた制御部３１と、から構成されている。なお、ここでは火力調節部３６として、ダイヤル式のものを例に挙げて説明しているが、これをスイッチによって火力の増加・減少量を指定する方式にしてもよい。
【００４３】
以上のように構成された本実施の形態の誘導加熱調理器において、本体１の主電源を入力した後、操作体３の送受信部３５が本体１の送受信部１５と信号の送受信が行われ、操作体非接触通信部４１上の操作体３の位置情報が送受信部１５，３５より本体１と操作体３に入力される。これにより、制御部１２，３１は操作体３の操作体非接触通信部４１上での位置を判別する。そして、操作体３では、設定可能な加熱コイルの情報を表示出力部３３に出力し、表示部４の画面上に表示させる。その後、操作体３の火力調節部３６を回動操作することで、操作体３が置かれた位置に応じた加熱コイルの操作が可能となる。
【００４４】
また、操作体３は、これが置かれていないトッププレート２上の通信可能領域に対応する加熱コイルの操作は不可能となるが、本体１の主電源スイッチのみはトッププレート２上の通信可能領域内のどこに操作体３を置いても操作可能となるように構成されている。
【００４５】
また、操作体３がトッププレート２上の通信可能領域のどこにも置かれず、本体側との送受信が一定時間行なわれない場合は、本体１の主電源、もしくは加熱コイルの加熱のみを自動的にＯＦＦになるように構成されている。電源ＯＦＦするまでの一定時間については、使用者が設定可能とし、各使用者の環境に合った時間とすることができる。
【００４６】
このように本実施形態によれば、本体１から操作体３を分離可能に構成し、かつ操作体３には本調理器の各種機能を持たせ、コンパクト化し、かつ配置を固定せず、トッププレート２上の通信可能領域内に載置されたとき、制御信号の送受信が可能になるようにしたので、トッププレート２上での調理スペースを十分に確保しながら使い勝手を向上させることができる。
【００４７】
また、操作体３がトッププレート２上の通信可能領域内に置かれた場合のみ操作が可能となるようにすることにより、操作部分を本体１とは分離しているものの、遠隔操作のような誤操作や使いづらさが解決され、使用者が調理状況を確認しながらその場で火力調整を行なうことができ、各自に適した理想的な配置で、安全な操作を行うことができる。
【００４８】
また、本体１の主電源スイッチのみはトッププレート２上の通信可能領域内のどこに操作体３を置いても操作可能となるように構成しているので、例えば全調理を同時に終了させたい場合、操作体３を各加熱コイル専用の通信可能領域に逐一移動させて操作する必要はなく、通信可能領域内のどこに操作体３があっても全調理を同時に終了させる操作が可能となり、簡単に全加熱コイルの調理を終了させることができる。
【００４９】
また、操作体３と本体１側との送受信が一定時間行なわれないと、本体１の主電源を自動的にＯＦＦとなるように構成しているので、例えば地震が原因となって操作体３がトッププレート２からはずれ落ちたときや、子供が操作体３を誤って触って落としたとき等の、緊急時での被害拡大を抑止することが可能となる。
【００５０】
また、もしくは操作体３と本体１側との送受信が一定時間行なわれないと、加熱コイルの加熱のみを自動的にＯＦＦとなるように構成しているので、自動ＯＦＦ後に直ちに再加熱を開始することができる。さらに、図示していないが、ロースター等の加熱コイル以外の加熱手段を備えた組込み式の誘導加熱調理器では、それら加熱コイル以外の加熱手段は自動的にＯＦＦとしないように構成したり、加熱コイルと加熱コイル以外の加熱手段を同時にＯＦＦとする構成としたりするなど、自動停止の条件は使用者が設定可能とし、各使用者の環境に合った自動停止機能とすることができる。
【００５１】
なお、実施の形態１〜５では、操作体３に表示部４を設けた構成としているが、操作体３には操作部５のみを設け表示部４を本体１側に設ける構成としてもよい。
【符号の説明】
【００５２】
１  本体、２  トッププレート、３  操作体、１２  制御部、１４ａ〜１４ｃ  加熱コイル、２１ａ〜２１ｃ  導電部、２２ａ〜２２ｃ  本体非接触通信領域、３０  温度センサ、３７  防磁金属体、３８  耐熱性樹脂、３９  操作回路、４０  接触片、４１  操作体非接触通信部。
【図１】
2010067617.tif 000003
【図２】
2010067617.tif 000004
【図３】
2010067617.tif 000005
【図４】
2010067617.tif 000006
【図５】
2010067617.tif 000007
【図６】
2010067617.tif 000008
【図７】
2010067617.tif 000009
【図８】
2010067617.tif 000010
【図９】
2010067617.tif 000011
【図１０】
2010067617.tif 000012
【図１１】
2010067617.tif 000013
【図１２】
2010067617.tif 000014